(57)【要約】      （修正有）【課題】無線ネットワークにおけるチャネル推定のために、セル毎のタイミング獲得、セル毎の周波数獲得、またはこれらの組合せを利用するための方法、装置、およびコンピュータ・プログラム製品を提供する。【解決手段】１または複数のセルのタイミングから、システム・タイミングが推定され、導出され、推定されたシステム・タイミングに対して、複数のセルについてタイミング・オフセットが決定され、複数のセルから受信された信号が、タイミング・オフセットを用いて処理される。さらに、１または複数のセルの周波数から、キャリア周波数が推定され、導出され、推定されたシステム・タイミングに対して、複数のセルについて周波数オフセットが決定され、複数のセルから受信された信号が、周波数オフセットを用いて処理される。【選択図】図１１
2014078951.tif 000002
【特許請求の範囲】
【請求項１】
ユーザ機器（ＵＥ）による無線通信の方法であって、
システム・タイミングを推定することと、ここで、前記推定されるシステム・タイミングは、１または複数のセルのタイミングから導出される、
複数のセルについて、前記推定されたシステム・タイミングに対するタイミング・オフセットを決定することと、
前記タイミング・オフセットに基づいて設定されたチャネル・タップ・トランケーション・ウィンドウを用いて、前記複数のセルから受信した信号を処理することと、
を備える方法。
【請求項２】
前記システム・タイミングを推定することは、セル特有の基準信号、一次同期信号、二次同期信号、またはサイクリック・プレフィクスのうちの少なくとも１つを備える、受信した信号を用いて実行される、請求項１に記載の方法。
【請求項３】
前記受信した信号は、特定のセルから受信した信号を備える、請求項２に記載の方法。
【請求項４】
前記特定のセルは、１または複数の基準信号について、最も強い受信信号強度を持つセルを備える、請求項３に記載の方法。
【請求項５】
前記受信した信号は、複数のセルからの信号の組み合わせを備える、請求項２に記載の方法。
【請求項６】
前記複数のセルのすべてまたはサブセットは、前記ＵＥへの協調マルチ・ポイント（ＣｏＭＰ：cooperative multi-point）送信に参加することができる、請求項１に記載の方法。
【請求項７】
前記処理することは、
前記決定されたタイミング・オフセットのうちの１または複数から、平均タイミング・オフセットを決定することと、
前記平均タイミング・オフセットに基づいて、チャネル・タップ・トランケーション・ウィンドウを設定することと、
を備える請求項６に記載の方法。
【請求項８】
前記平均タイミング・オフセットを決定することは、ＣｏＭＰ送信に参加できるとして知られているセルのタイミング・オフセットを利用することを備える、請求項７に記載の方法。
【請求項９】
前記平均タイミング・オフセットを決定することは、ＣｏＭＰ送信に参加できないとして知られている１または複数のセルのタイミング・オフセットを除外することを備える、請求項７に記載の方法。
【請求項１０】
前記平均タイミング・オフセットを決定することは、受信信号強度にしたがって重み付けられた平均を計算することを備える、請求項７に記載の方法。
【請求項１１】
ユーザ機器（ＵＥ）による無線通信の方法であって、
キャリア周波数を推定することと、ここで、前記推定されるキャリア周波数は、１または複数のセルの周波数から導出される、
複数のセルについて、前記推定されたキャリア周波数に対する周波数オフセットを決定することと、
前記周波数オフセットのうちの１または複数に基づいて、前記複数のセルから受信した信号を処理することと、
を備える方法。
【請求項１２】
前記キャリア周波数を推定することは、セル特有の基準信号、一次同期信号、二次同期信号、またはサイクリック・プレフィクスのうちの少なくとも１つを備える、受信した信号を用いて実行される、請求項１１に記載の方法。
【請求項１３】
前記受信した信号は、特定のセルから受信した信号を備える、請求項１２に記載の方法。
【請求項１４】
前記特定のセルは、１または複数の基準信号について、最も強い受信信号強度を持つセルを備える、請求項１３に記載の方法。
【請求項１５】
前記受信した信号は、複数のセルからの信号の組み合わせを備える、請求項１４に記載の方法。
【請求項１６】
前記複数のセルのすべてまたはサブセットは、前記ＵＥへの協調マルチ・ポイント（ＣｏＭＰ：cooperative multi-point）送信に参加することができる、請求項１１に記載の方法。
【請求項１７】
前記処理することは、
前記決定された周波数オフセットのうちの１または複数から、平均周波数オフセットを決定することと、
前記平均周波数オフセットに基づいて、ＣｏＭＰ送信ポイントから受信した信号を処理することと、
を備える請求項１６に記載の方法。
【請求項１８】
前記平均周波数オフセットを決定することは、ＣｏＭＰ送信に参加できるとして知られているセルの周波数オフセットを利用することを備える、請求項１７に記載の方法。
【請求項１９】
前記平均周波数オフセットを決定することは、ＣｏＭＰ送信に参加できないとして知られている１または複数のセルの周波数オフセットを利用することを備える、請求項１７に記載の方法。
【請求項２０】
前記平均周波数オフセットを決定することは、受信信号強度にしたがって重み付けられた平均を計算することを備える、請求項１７に記載の方法。
【請求項２１】
前記複数のセルのうちの少なくとも１つからのセル特有の基準信号にフェーズ・シフトを適用することをさらに備え、
前記フェーズ・シフトは、前記複数のセルのうちの少なくとも１つについて決定された周波数オフセットに応じる、請求項１４に記載の方法。
【請求項２２】
無線通信のための装置であって、
システム・タイミングを推定する手段と、ここで、前記推定されるシステム・タイミングは、１または複数のセルのタイミングから導出される、
複数のセルについて、前記推定されたシステム・タイミングに対するタイミング・オフセットを決定する手段と、
前記タイミング・オフセットに基づいて設定されたチャネル・タップ・トランケーション・ウィンドウを用いて、前記複数のセルから受信した信号を処理する手段と、
を備える装置。
【請求項２３】
前記システム・タイミングを推定する手段は、セル特有の基準信号、一次同期信号、二次同期信号、またはサイクリック・プレフィクスのうちの少なくとも１つを備える、受信した信号を利用する、請求項２２に記載の装置。
【請求項２４】
前記受信した信号は、特定のセルから受信した信号を備える、請求項２３に記載の装置。
【請求項２５】
前記特定のセルは、１または複数の基準信号について、最も強い受信信号強度を持つセルを備える、請求項２４に記載の装置。
【請求項２６】
前記受信した信号は、複数のセルからの信号の組み合わせを備える、請求項２３に記載の装置。
【請求項２７】
前記複数のセルのすべてまたはサブセットは、前記ＵＥへの協調マルチ・ポイント（ＣｏＭＰ：cooperative multi-point）送信に参加することができる、請求項２４に記載の装置。
【請求項２８】
前記処理する手段は、
前記決定されたタイミング・オフセットのうちの１または複数から、平均タイミング・オフセットを決定する手段と、
前記平均タイミング・オフセットに基づいて、チャネル・タップ・トランケーション・ウィンドウを設定する手段と、
を備える請求項２７に記載の装置。
【請求項２９】
前記平均タイミング・オフセットを決定する手段は、ＣｏＭＰ送信に参加できるとして知られているセルのタイミング・オフセットを利用する手段を備える、請求項２８に記載の装置。
【請求項３０】
前記平均タイミング・オフセットを決定する手段は、ＣｏＭＰ送信に参加できないとして知られている１または複数のセルのタイミング・オフセットを除外する手段を備える、請求項２８に記載の装置。
【請求項３１】
前記平均タイミング・オフセットを決定する手段は、受信信号強度にしたがって重み付けられた平均を計算する手段を備える、請求項２８に記載の装置。
【請求項３２】
ユーザ機器（ＵＥ）による無線通信の装置であって、
キャリア周波数を推定する手段と、ここで、前記推定されるキャリア周波数は、１または複数のセルの周波数から導出される、
複数のセルについて、前記推定されたキャリア周波数に対する周波数オフセットを決定する手段と、
前記周波数オフセットのうちの１または複数に基づいて、前記複数のセルから受信した信号を処理する手段と、
を備える装置。
【請求項３３】
前記キャリア周波数を推定する手段は、セル特有の基準信号、一次同期信号、二次同期信号、またはサイクリック・プレフィクスのうちの少なくとも１つを備える、受信した信号を利用する、請求項３２に記載の装置。
【請求項３４】
前記受信した信号は、特定のセルから受信した信号を備える、請求項３３に記載の装置。
【請求項３５】
前記特定のセルは、１または複数の基準信号について、最も強い受信信号強度を持つセルを備える、請求項３４に記載の装置。
【請求項３６】
前記受信した信号は、複数のセルからの信号の組み合わせを備える、請求項３５に記載の装置。
【請求項３７】
前記複数のセルのすべてまたはサブセットは、前記ＵＥへの協調マルチ・ポイント（ＣｏＭＰ：cooperative multi-point）送信に参加することができる、請求項３２に記載の装置。
【請求項３８】
前記処理する手段は、
前記決定された周波数オフセットのうちの１または複数から、平均周波数オフセットを決定する手段と、
前記平均周波数オフセットに基づいて、ＣｏＭＰ送信ポイントから受信した信号を処理する手段と、
を備える請求項３７に記載の装置。
【請求項３９】
前記平均周波数オフセットを決定する手段は、ＣｏＭＰ送信に参加できるとして知られているセルの周波数オフセットを利用する手段を備える、請求項３８に記載の装置。
【請求項４０】
前記平均周波数オフセットを決定する手段は、ＣｏＭＰ送信に参加できないとして知られている１または複数のセルの周波数オフセットを利用する手段を備える、請求項３８に記載の装置。
【請求項４１】
前記平均周波数オフセットを決定する手段は、受信信号強度にしたがって重み付けられた平均を計算する手段を備える、請求項３８に記載の装置。
【請求項４２】
前記複数のセルのうちの少なくとも１つからのセル特有の基準信号にフェーズ・シフトを適用する手段をさらに備え、
前記フェーズ・シフトは、前記複数のセルのうちの少なくとも１つについて決定された周波数オフセットに応じる、請求項３５に記載の装置。
【請求項４３】
無線通信のための装置であって、
システム・タイミングを推定し、ここで、前記推定されるシステム・タイミングは、１または複数のセルのタイミングから導出される、
複数のセルについて、前記推定されたシステム・タイミングに対するタイミング・オフセットを決定し、
前記タイミング・オフセットに基づいて設定されたチャネル・タップ・トランケーション・ウィンドウを用いて、前記複数のセルから受信した信号を処理する、
ように構成された少なくとも１つのプロセッサと、
前記少なくとも１つのプロセッサに接続されたメモリと、
を備える装置。
【請求項４４】
無線通信のための装置であって、
キャリア周波数を推定し、ここで、前記推定されるキャリア周波数は、１または複数のセルの周波数から導出される、
複数のセルについて、前記推定されたキャリア周波数に対する周波数オフセットを決定し、
前記周波数オフセットのうちの１または複数に基づいて、前記複数のセルから受信した信号を処理する、
ように構成された少なくとも１つのプロセッサと、
前記少なくとも１つのプロセッサに接続されたメモリと、
を備える装置。
【請求項４５】
システム・タイミングを推定し、ここで、前記推定されるシステム・タイミングは、１または複数のセルのタイミングから導出される、
複数のセルについて、前記推定されたシステム・タイミングに対するタイミング・オフセットを決定し、
前記タイミング・オフセットに基づいて設定されたチャネル・タップ・トランケーション・ウィンドウを用いて、前記複数のセルから受信した信号を処理する、
ために、プロセッサによって実行されることが可能な格納された命令群のセットを有するコンピュータ読取可能な媒体を備える、コンピュータ・プログラム製品。
【請求項４６】
キャリア周波数を推定し、ここで、前記推定されるキャリア周波数は、１または複数のセルの周波数から導出される、
複数のセルについて、前記推定されたキャリア周波数に対する周波数オフセットを決定し、
前記周波数オフセットのうちの１または複数に基づいて、前記複数のセルから受信した信号を処理する、
ために、プロセッサによって実行されることが可能な格納された命令群のセットを有するコンピュータ読取可能な媒体を備える、コンピュータ・プログラム製品。
【発明の詳細な説明】
【優先権主張】
【０００１】
本特許出願は、本特許出願の譲受人に譲渡され、本明細書において参照によって明確に組み込まれ２００９年１１月１９に出願された「無線ネットワークにおける、セル毎のタイミングおよび／または周波数の獲得、ならびにチャネル推定におけるこれらの使用」（PER-CELL TIMING AND/OR FREQUENCY ACQUISITION AND THEIR USE ON CHANNEL ESTIMATION IN WIRELESS NETWORKS）と題された米国仮特許出願６１／２６２，９１１号の優先権を主張する。
【技術分野】
【０００２】
本開示は、一般に、通信システムに関し、さらに詳しくは、無線ネットワークにおけるチャネル推定のために、セル毎のタイミング獲得、セル毎の周波数獲得、またはこれらの組み合わせを利用することに関する。
【背景技術】
【０００３】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００４】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。好適には、これらの改善は、これらの技術を適用するその他の多元接続技術および通信規格に適用可能であるべきである。
【発明の概要】
【０００５】
いくつかのシナリオでは、ＵＥは、最も強い近隣セルの代わりに、弱いセルに接続する必要がありうる。例えば、これは、セルを拡張している間、または、最も強いセルがクローズ加入者グループ（ＣＳＧ）セルでありうるところで生じうる。このようなシナリオでは、ＵＥが、より弱いサービス提供セルの代わりに、より強いセルのタイミング、キャリア周波数、またはこれら両方をトラックすることが有益でありうる。ＵＥが、単一のタイミング（サービス提供セルのタイミング、強い干渉元のタイミング、または合成タイミング）をトラックすると、通常、ＵＥがトラックするタイミングと、ＵＥがモニタしたい各セルのタイミングとの間にギャップが存在する。
【０００６】
本開示の態様では、システム・タイミングを推定することと、ここで、推定されるシステム・タイミングは、１または複数のセルのタイミングから導出される、複数のセルについて、推定されたシステム・タイミングに対するタイミング・オフセットを決定することと、タイミング・オフセットに基づいて設定されたチャネル・タップ・トランケーション・ウィンドウを用いて、複数のセルから受信した信号を処理することと、を一般に含む、無線通信のための方法、装置、およびコンピュータ・プログラム製品が提供される。
【０００７】
本開示の態様では、キャリア周波数を推定することと、ここで、推定される周波数は、１または複数のセルの周波数から導出される、複数のセルについて、推定されたキャリア周波数に対する周波数オフセットを決定することと、周波数オフセットのうちの１または複数に基づいて、複数のセルから受信した信号を処理することと、を一般に含む、無線通信のための方法、装置、およびコンピュータ・プログラム製品が提供される。
【図面の簡単な説明】
【０００８】
【図１】図１は、処理システムを適用する装置のためのハードウェア実装の例を例示する概念図である。
【図２】図２は、ネットワーク・アーキテクチャの例を例示する概念図である。
【図３】図３は、アクセス・ネットワークの例を例示する概念図である。
【図４】図４は、アクセス・ネットワークにおいて使用するためのフレーム構造の例を例示する概念図である。
【図５】図５は、ユーザ・プレーンおよび制御プレーンのためのラジオ・プロトコル・アーキテクチャの例を例示する概念図である。
【図６】図６は、アクセス・ネットワークにおけるｅノードＢとＵＥとの例を例示する概念図である。
【図７】図７は、複数のｅノードＢから信号を受信するＵＥを例示する概念図である。
【図８】図８は、無線通信の方法のフロー・チャートである。
【図９】図９は、無線通信の方法の別のフロー・チャートである。
【図１０】図１０は、典型的な装置の機能を例示する概念ブロック図である。
【図１１】図１１は、無線通信の方法のフロー・チャートである。
【図１２】図１２は、無線通信の方法の別のフロー・チャートである。
【発明を実施するための形態】
【０００９】
添付図面とともに以下に説明する詳細説明は、さまざまな構成の説明として意図されており、本明細書に記載された概念が実現される唯一の構成を示すことは意図されていない。この詳細説明は、さまざまな概念の十分な理解を提供することを目的とした具体的な詳細を含んでいる。しかしながら、これらの概念は、これら具体的な詳細無しで実現されうることが当業者に明らかになるであろう。いくつかの事例では、周知の構成および構成要素は、このような概念を曖昧にすることを避けるために、ブロック図形式で示されている。
【００１０】
通信システムのいくつかの態様が、さまざまな装置および方法に対する参照を用いて表されうる。これら装置および方法は、さまざまなブロック、モジュール、構成要素、回路、ステップ、処理、アルゴリズム等（集合的に「要素」と称される）によって、以下の詳細説明に記述されており、添付図面に例示される。これらの要素は、電子ハードウェア、コンピュータ・ソフトウェア、またはこれら任意の組み合わせを用いて実現されうる。これら要素がハードウェアとしてまたはソフトウェアとして実現されるかは、特定のアプリケーションおよびシステム全体に課せられている設計制約に依存する。
【００１１】
例として、要素、要素の任意の部分、または、要素の任意の組み合わせは、１または複数のプロセッサを含む「処理システム」を用いて実現されうる。プロセッサの例は、マイクロ・プロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、順序回路、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、例によれば、磁気記憶デバイス（例えばハードディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、搬送波、伝送路、および、ソフトウェアの格納または送信のために適切なその他任意の媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【００１２】
図１は、処理システム１１４を適用する装置１００のためのハードウェア実装の例を例示する概念図である。この例では、処理システム１１４は、一般にバス１０２によって表されているバス・アーキテクチャを用いて実現されうる。バス１０２は、全体的な設計制約および処理システム１１４の特定のアプリケーションに依存して、任意の数の相互接続バスおよびブリッジを含みうる。バス１０２は、一般にプロセッサ１０４によって表される１または複数のプロセッサと、一般にコンピュータ読取可能な媒体１０６によって表されるコンピュータ読取可能な媒体を含むさまざまな回路を共に接続する。バス１０２はさらに、例えば、タイミング・ソース、周辺機器、電圧制御装置、および電力管理回路のようなその他さまざまな回路をリンクしうる。これらは、当該技術分野で良く知られているので、さらなる説明はしない。バス・インタフェース１０８は、バス１０２とトランシーバ１１０との間にインタフェースを提供する。トランシーバ１１０は、送信媒体を介してその他さまざまな装置と通信するための手段を提供する。装置の性質によって、ユーザ・インタフェース１１２（例えば、キーパッド、ディスプレイ、スピーカ、マイクロフォン、ジョイスティック）も提供されうる。
【００１３】
プロセッサ１０４は、バス１０２の管理、および、コンピュータ読取可能な媒体１０６に格納されたソフトウェアの実行を含む一般的な処理を担当する。ソフトウェアは、プロセッサ１０４によって実行された場合、処理システム１１４に対して、特定の装置のために記載されたさまざまな機能を実行させる。コンピュータ読取可能な媒体１０６はまた、ソフトウェアが実行されている場合に、プロセッサ１０４によって操作されるデータを格納するためにも使用されうる。
【００１４】
さまざまな装置を適用するテレコミュニケーション・システムの一例が、図２に示されるようなＬＴＥネットワーク・アーキテクチャに関して示されるだろう。ＬＴＥネットワーク・アーキテクチャ２００は、コア・ネットワーク２０２およびアクセス・ネットワーク２０４を用いて示される。この例において、コア・ネットワーク２０２は、アクセス・ネットワーク２０４にパケット交換サービスを提供する。しかしながら、当業者であれば容易に理解するように、この開示によって示されるさまざまな概念は、回路交換サービスを提供するコア・ネットワークに拡張されうる。
【００１５】
ＬＴＥアプリケーションにおいて通常イボルブド・ノードＢとして称されるが、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語としても称されうる単一の装置２１２を用いて、アクセス・ネットワーク２０４が示されている。ｅノードＢ２１２は、モバイル装置２１４のために、コア・ネットワーク２０２へのアクセス・ポイントを提供する。モバイル装置の例は、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他類似の機能デバイスを含んでいる。モバイル装置２１４は、ＬＴＥアプリケーションにおいて通常、ユーザ機器（ＵＥ）として称されるが、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００１６】
コア・ネットワーク２０２は、パケット・データ・ノード（ＰＤＮ）ゲートウェイ２０８およびサービス提供ゲートウェイ２１０を含むいくつかの装置で示される。ＰＤＮゲートウェイ２０８は、パケット・ベース・ネットワーク２０６へのアクセス・ネットワーク２０４のための接続を提供する。この例において、パケット・ベース・ネットワーク２０６はインターネットである。しかし、本開示の全体にわたって示された概念は、インターネット・アプリケーションに限定されない。ＰＤＮゲートウェイ２０８の主要な機能は、ＵＥ２１４に、ネットワーク接続を提供することである。データ・パケットは、サービス提供ゲートウェイ２１０を介して、ＰＤＮゲートウェイ２０８とＵＥ  ２１４の間で転送される。サービス提供ゲートウェイ２１０は、ＵＥ２１４がアクセス・ネットワーク２０４内を移動すると、ローカル・モビリティ・アンカとして動作する。
【００１７】
ＬＴＥネットワーク・アーキテクチャにおけるアクセス・ネットワークの例が、図３を参照して示される。この例では、アクセス・ネットワーク３００は、多くのセルラ領域（セル）３０２に分割される。ｅノードＢ３０４は、セル３０２に割り当てられ、セル３０２内のすべてのＵＥ３０６のためにコア・ネットワーク２０２（図２参照）へのアクセス・ポイントを提供するように構成されている。アクセス・ネットワーク３００のこの例では、中央コントローラは存在しないが、別の構成では、中央コントローラが使用されうる。ｅノード３０４は、ラジオ・ベアラ制御、許可制御、モビリティ制御、スケジューリング、セキュリティ、および、（図２に示す）コア・ネットワーク２０２内のサービス提供ゲートウェイ２１０への接続を含むすべてのラジオ関連機能を担当する。
【００１８】
アクセス・ネットワーク３００によって適用された変調および多元接続スキームは、展開されている特定の通信規格に依存して変わりうる。ＬＴＥアプリケーションでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、以下の詳細記載から容易に認識するように、ここで示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、および、ＯＦＤＭＡを適用するイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭ、に拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００１９】
ｅノードＢ３０４は、ＭＩＭＯ技術をサポートする複数のアンテナを有しうる。ＭＩＭＯ技術を使用することにより、ｅノードＢ３０４は、空間多重化、ビームフォーミング、および送信ダイバーシティをサポートするために空間領域を活用できるようになる。
【００２０】
空間多重化は、同じ周波数で、異なるデータ・ストリームを同時に送信するために使用されうる。データ・ストリームは、データ・レートを高めるために単一のＵＥ３０６へ、全体的なシステム容量を高めるために複数のＵＥ３０６へ、送信されうる。これは、各データ・ストリームを空間的にプリコードし、空間的にプリコードされた各ストリームを、ダウンリンクで、異なる送信アンテナを介して送信することによって達成される。この空間的にプリコードされたデータ・ストリームは、異なる空間シグニチャを持つＵＥ（単数または複数）３０６に到着する。これによって、ＵＥ（単数または複数）３０６のおのおのは、ＵＥ３０６のために指定された１または複数のデータ・ストリームを復元できるようになる。アップリンクでは、おのおののＵＥ３０６が、空間的にプリコードされたデータ・ストリームを送信する。これによって、ｅノードＢ３０４は、空間的にプリコードされた各データ・ストリームのソースを識別できるようになる。
【００２１】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部において良好な有効通信範囲を達成するために、単一ストリーム・ビームフォーミング送信が、送信ダイバーシティと組み合わされて使用されうる。
【００２２】
以下に続く詳細説明では、アクセス・ネットワークのさまざまな態様が、ダウンリンクでＯＦＤＭをサポートするＭＩＭＯシステムに関して記述されるだろう。ＯＦＤＭは、ＯＦＤＭシンボル内の多くのサブキャリアにおいてデータを変調する拡散スペクトル技術である。サブキャリアは、正確な周波数で、間隔を置かれている。この間隔は、受信機が、サブキャリアからデータを受信することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。アップリンクは、高いピーク対平均電力比（ＰＡＲＲ）を補償するために、ＤＦＴ拡散ＯＦＤＭ信号の形態でＳＣ−ＦＤＭＡを使用しうる。
【００２３】
ＤＬ送信とＵＬ送信とをサポートするために、さまざまなフレーム構造が使用されうる。ＤＬフレーム構造の例が、図４を参照して示される。しかしながら、当業者が容易に認識するように、どの特定のアプリケーションのフレーム構造も、任意の数の要因に依存して異なりうる。この例では、フレーム（１０ミリ秒）が、１０の等しいサイズのサブフレームに分割される。おのおののサブフレームは、２つの連続する時間スロットを含んでいる。
【００２４】
おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。各リソース要素によって伝送されるビット数は、変調スキームに依存する。したがって、ＵＥが受信するリソース・ブロックが増え、変調スキームが高くなると、ＵＥのためのデータ・レートが高くなる。
【００２５】
ラジオ・プロトコル・アーキテクチャは、特定のアプリケーションに依存してさまざまな形態をとりうる。ＬＴＥシステムに関する例が、図５を参照して示される。図５は、ユーザ・プレーンおよび制御プレーンのためのラジオ・プロトコル・アーキテクチャの例を例示する概念図である。
【００２６】
図５に移って、ＵＥおよびｅノードＢのためのラジオ・プロトコル・アーキテクチャが、３つのレイヤ、すなわち、レイヤ１、レイヤ２、およびレイヤ３を用いて示される。レイヤ１は、最下部レイヤであり、さまざまな物理レイヤ信号処理機能を実施する。レイヤ１は、本明細書では物理レイヤ５０６と称されるだろう。レイヤ２（Ｌ２レイヤ）５０８は、物理レイヤ５０６の上にあり、物理レイヤ５０６上におけるＵＥとｅノードＢとの間のリンクを担当する。
【００２７】
ユーザ・プレーンでは、Ｌ２レイヤ５０８は、媒体アクセス制御（ＭＡＣ）サブレイヤ５１０と、ラジオ・リンク制御（ＲＬＣ）サブレイヤ５１２と、パケット・データ収束プロトコル（ＰＤＣＰ）サブレイヤ５１４とを含む。これらは、ネットワーク側におけるｅノードＢにおいて終了する。図示されていないが、ＵＥは、ネットワーク側におけるＰＤＮゲートウェイ２０８（図２参照）で終了するネットワーク・レイヤ（例えば、ＩＰレイヤ）を含む、Ｌ２レイヤ５０８上のいくつかの上部レイヤと、（例えば、遠くのエンドＵＥ、サーバ等のような）接続の他端において終了するアプリケーション・レイヤとを有しうる。
【００２８】
ＰＤＣＰサブレイヤ５１４は、異なるラジオ・ベアラと論理チャネルとの間の多重化を提供する。ＰＤＣＰサブレイヤ５１４はまた、ラジオ送信オーバヘッドを低減するための上部レイヤ・データ・パケットのヘッダ圧縮、データ・パケットを暗号化することによるセキュリティ、および、ＵＥのｅノードＢ間のハンドオーバ・サポートを提供する。ＲＬＣサブレイヤ５１２は、上部レイヤ・データ・パケットのセグメント化および再アセンブル、喪失したデータ・パケットの再送信、および、ハイブリッド自動反復要求（ＨＡＲＱ）による順不同な受信を補償するためのデータ・パケットの並べ替えを提供する。ＭＡＣサブレイヤ５１０は、論理チャネルと伝送チャネルとの間の多重化を提供する。ＭＡＣサブレイヤ５１０はまた、１つのセル内のさまざまなラジオ・リソース（例えば、リソース・ブロック）を、ＵＥ間に割り当てることをも担当する。ＭＡＣサブレイヤ５１０はまた、ＨＡＲＱ動作をも担当する。
【００２９】
制御プレーンでは、ＵＥおよびｅノードＢのためのラジオ・プロトコル・アーキテクチャは、制御プレーンのためのヘッダ圧縮機能が無いことを除いて、物理レイヤ５０６およびＬ２レイヤ５０８について実質的に同じである。制御プレーンはまた、レイヤ３にラジオ・リソース制御（ＲＲＣ）サブレイヤ５１６を含んでいる。ＲＲＣサブレイヤ５１６は、ラジオ・リソース（すなわち、ラジオ・ベアラ）を取得することと、ｅノードＢとＵＥとの間のＲＲＣシグナリングを用いて下部レイヤを設定することと、を担当する。
【００３０】
図６は、アクセス・ネットワークにおいてＵＥと通信しているｅノードＢのブロック図である。ＤＬでは、コア・ネットワークからの上部レイヤ・パケットが、送信（ＴＸ）プロセッサ６１４へ提供される。ＴＸ  Ｌ２プロセッサ６１４は、図５に関して以前に記述されたＬ２レイヤの機能を実現する。より具体的には、ＴＸ  Ｌ２プロセッサ６１４は、上部レイヤ・パケットのヘッダを圧縮し、パケットを暗号化し、暗号化されたパケットをセグメント化し、セグメント化されたパケットを並べ替え、論理チャネルと伝送チャネルとの間でデータ・パケットを多重化し、さまざまな優先度判定基準に基づいてＵＥ３５０へラジオ・リソースを割り当てる。さらに、ＴＸ  Ｌ２プロセッサ６１４はまた、ＴＸラジオ・リソース・コントローラ６１２からの制御に基づいて、ＨＡＲＱ動作、喪失パケットの再送信、およびＵＥ６５０へのシグナリングをも担当する。
【００３１】
ＴＸデータ・プロセッサ６１６は、物理レイヤのためのさまざまな信号処理機能を実施する。この信号処理機能は、ＵＥ６５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器６７４からのチャンネル推定値は、空間処理のためのみならず、符号化および変調スキームを決定するためにも使用されうる。チャネル推定値は、ＵＥ６５０によって送信されたチャネル条件フィードバックおよび／または基準信号から導出されうる。おのおのの空間ストリームはその後、個別の送信機６１８ＴＸを介して別々のアンテナ６２０へ提供される。おのおのの送信機６１８ＴＸは、送信のために、それぞれの空間ストリームを用いてＲＦキャリアを変調する。
【００３２】
ＵＥ６５０では、おのおのの受信機６５４ＲＸが、それぞれのアンテナ６５２を介して信号を受信する。おのおのの受信機６５４ＲＸは、ＲＦキャリアへ変調された情報を復元し、この情報を、受信機（ＲＸ）データ・プロセッサ６５６へ提供する。
【００３３】
ＲＸデータ・プロセッサ６５６は、物理レイヤのさまざまな信号処理機能を実施する。ＲＸプロセッサ６５６は、この情報に対して空間処理を実行し、ＵＥ６５０に向けられた空間ストリームを復元する。複数の空間ストリームが、ＵＥ６５０に向けられている場合、これらは、ＲＸデータ・プロセッサ６５６によって、単一のＯＦＤＭシンボル・ストリームへ組み合されうる。ＲＸデータ・プロセッサ６５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅノードＢ６１０によって送信された最も可能性の高いコンステレーション・ポイントを判定することによって復元および復調される。これら軟判定は、チャネル推定器６５８によって計算されたチャネル推定値に基づきうる。これら軟判定はその後、復号およびデインタリーブされ、物理チャネル上でｅノードＢ６１０によって送信されたオリジナルのデータおよび制御信号が復元される。データおよび制御信号はその後、ＲＸ  Ｌ２プロセッサ６６０へ提供される。
【００３４】
ＲＸ  Ｌ２プロセッサ６６０は、図５に関して以前に記述されたＬ２レイヤの機能を実施する。さらに詳しくは、ＲＸ  Ｌ２プロセッサ６６０は、伝送チャネルと論理チャネルとの間での逆多重化を提供し、データ・パケットを上部レイヤ・パケットへ再アセンブルし、上部レイヤ・パケットを解読し、ヘッダを伸長し、制御信号を処理する。Ｌ２レイヤ上のすべてのプロトコル・レイヤを表す上部レイヤ・パケットは、その後、データ・シンク６６２へ提供される。ＲＸ  Ｌ２プロセッサ６６０はまた、ＨＡＲＱ動作をサポートするためにアクノレッジメント（ＡＣＫ）および／または否定的アクノレッジメント（ＮＡＣＫ）プロトコルを用いて、誤り検出を担当する。制御信号は、ＲＸラジオ・リソース・コントローラ６６１に提供される。
【００３５】
ＵＬでは、送信（ＴＸ）Ｌ２プロセッサ６６４へデータ・パケットを提供するために、データ・ソース６６７が使用される。データ・ソース６６７は、Ｌ２レイヤ（Ｌ２）上のすべてのプロトコル・レイヤを表す。ｅノードＢ６１０によるＤＬ送信に関して記載された機能に類似して、ＴＸ  Ｌ２プロセッサ６６４は、ユーザ・プレーンおよび制御プレーンのためにＬ２レイヤを実施する。後者は、ＴＸラジオ・リソース・コントローラ６６５に応じている。ＴＸデータ・プロセッサ６６８は、物理レイヤを実現する。ｅノードＢ６１０によって送信されたフィードバックまたは基準信号から、チャネル推定器６５８によって導出されたチャネル推定値が、適切な符号化スキームおよび変調スキームを選択するために、および、空間処理を容易にするために、ＴＸデータ・プロセッサ６６８によって使用されうる。ＴＸデータ・プロセッサ６６８によって生成された空間ストリームは、個別の送信機６５４ＴＸを介して異なるアンテナ６５２に提供される。おのおのの送信機６５４ＴＸは、送信のために、それぞれの空間ストリームを用いてＲＦキャリアを変調する。
【００３６】
ＵＬ送信は、ＵＥ６５０における受信機機能に関して記載されたものと類似した方式で、ｅノードＢ６１０において処理される。おのおのの受信機６１８ＲＸは、それぞれのアンテナ６２０を介して信号を受信する。おのおのの受信機６１８ＲＸは、ＲＦキャリアへ変調された情報を復元し、この情報を、ＲＸデータ・プロセッサ６７０へ提供する。ＲＸデータ・プロセッサ６７０は、物理レイヤを実現し、ＲＸ  Ｌ２プロセッサ６７２は、Ｌ２レイヤを実現する。ＲＸ  Ｌ２プロセッサからの上部レイヤ・パケットは、コア・ネットワークに提供され、ＲＸラジオ・リソース・コントローラ６７６へ制御信号が提供されうる。
【００３７】
図７は、複数のｅノードＢ７０２、７０４、７０６から信号を受信するＵＥ７０８を例示する概念図である。いくつかのシナリオでは、ＵＥは最も強いセルの代わりに、より弱いセルへ接続する必要がありうる。例として、範囲拡張のために、セルの送信電力が、最も強いセルよりも低い場合であっても、ＵＥを、小さなパス・ロスのより弱いセルに関連付けることが有益でありうる。さらに、最も強いセルは、クローズド加入者グループ（ＣＳＧ）セルでありうるので、ＵＥにアクセス可能ではないかもしれない。
【００３８】
このようなシナリオでは、ＵＥが、より弱いサービス提供セルの代わりに、より強いセルのタイミング、キャリア周波数、またはこれら両方をトラックすることが有益でありうる。従来、ＵＥのタイミング・トラッキング・ループ（ＴＴＬ）および周波数トラッキング・ループ（ＦＴＬ）は、サービス提供セルのタイミングおよび周波数を取得することを試みる。しかしながら、あるシナリオでは、ＵＥが、サービス提供セルのタイミング／周波数、支配的な干渉元のタイミング／周波数、サービス提供セルとすべての干渉元とを含むすべてのセルの、結合されたタイミング／周波数をトラックすることが有益でありうる。利点は、例えば、干渉元のセルからの信号の改善された除去を含みうる。
【００３９】
ＵＥが、単一のタイミング（サービス提供セルのタイミング、強い干渉元のタイミング、または合成タイミング）をトラックすると、通常、ＵＥがトラックするタイミング（すなわち、フレームのタイミング・アライメントに関するＵＥのタイミング、フレーム内のサブフレーム、各サブフレーム内のＯＦＤＭシンボル）と、ＵＥがモニタしたい各セルのタイミングとの間にギャップが存在する。例えば、図７に示すように、ＵＥ７０８がトラックしているタイミングと、ｅノードＢ７０２、７０４、７０６のおのおののタイミングとの間にギャップが存在しうる。
【００４０】
ここで示されたある態様によれば、ＵＥ７０８は、単一のシステム・タイミングおよび／またはシステム周波数をトラックし、おのおののセルについて、セル毎のタイミングまたは周波数のオフセットを推定しうる。システムのタイミングおよび／または周波数は、（例えば、最も強い受信信号強度を持つ）単一のセルまたは複数のセルから導出されうる。単純な例として、第１のセル（例えば、ｅノードＢ７０２を備えた「セルＡ」）は、２ＧＨｚ＋１００Ｈｚの周波数を有し、第２のセル（ｅノードＢ７０４を備えた「セルＢ」）は、２ＧＨｚ＋２００Ｈｚの周波数を有しうる。ＵＥ７０８が、２つのセルから同じような受信電力を認識するものと仮定すると、ＵＥは、２０ＧＨｚ＋１５０Ｈｚをトラックすることを望み、セルＡのセル毎周波数誤差を（２ＧＨｚ＋１５０Ｈｚのトラックされた周波数に対して）−５０Ｈｚとして、セルＢのセル毎周波数誤差を＋５０Ｈｚとして決定しうる。言い換えれば、この例では、ＵＥ７０８は、何れの特定のセルの周波数もトラックしておらず、これら２つのセルの平均周波数をトラックしている。同様に、タイミング・トラッキングの場合、ＵＥは、単一のセルのタイミングをトラックしうるか、または、複数のセルのタイミングから導出された「合成」タイミングをトラックしうる。
【００４１】
セルのセル毎タイミング・オフセットは、例えば、セル特有の基準信号（ＣＲＳ）、一次同期信号（ＰＳＳ）、二次同期信号（ＳＳＳ）、またはサイクリック・プレフィクス（ＣＰ）のような、セル（単数または複数）から送信された信号を用いて推定されうる。ＵＥ７０８が適切な冗長ハードウェアを有すると仮定すると、セル毎のタイミング・オフセットが、同時に推定されうる。あるいは、オフセットが、シーケンシャルに推定されうる。セル毎のタイミング・オフセット推定値は、例えば、ＵＥと別のｅノードＢとの間のチャネル推定精度を高めることによって、ＵＥ７０８のパフォーマンスを高めるために使用されうる。１つの構成では、特定のタイミングを持つトラッキングが、セルからの信号を合成することによって実行される。これら信号は、ＣＲＳトーン、ＰＳＳ、ＳＳＳ、またはサイクリック・プレフィクスのうちの少なくとも１つを含む。１つの構成では、これら信号は、これら信号の受信強度にしたがって合成されうる。
【００４２】
前述したように、ＵＥ７０８が、単一のセル（サービス提供セルまたは強い干渉元）のキャリア周波数（または、特定のキャリア周波数に対する周波数誤差）または合成周波数オフセットをトラックすると、ＵＥ７０８がトラックするキャリア周波数（すなわち、ＵＥが調節されるキャリア周波数誤差を含むキャリア周波数）と、ＵＥ７０８がモニタしたい各セルのキャリア周波数誤差との間にギャップが存在する。
【００４３】
このため、ある態様によれば、ＵＥ７０８はさらに、各セルのセル毎周波数オフセットを推定しうる。セルのセル毎周波数オフセットは、ＵＥがトラックしている（調節されている）キャリア周波数（または周波数誤差）と、ＵＥ７０８がトラックしている特定のセルの周波数誤差との間のオフセットである。セルのセル毎周波数オフセットはまた、セルから送信された信号（例えば、ＲＳトーン、ＰＳＳ、ＳＳＳ、サイクリック・プレフィクス等）を用いて推定されうる。セル毎周波数オフセット推定値はまた、ＵＥ７０８のパフォーマンスを高めるためにも使用されうる。さらに、特定のキャリア周波数誤差をトラックするために、セル毎のキャリア周波数誤差推定値が使用されうる。１つの構成では、特定のキャリア周波数誤差をトラックすることは、複数のセルからの信号を合成することによって実行される。これら信号は、ＣＲＳトーン、ＰＳＳ、ＳＳＳ、またはサイクリック・プレフィクスのうちの少なくとも１つを含んでいる。１つの構成では、これら信号は、これら信号の受信強度にしたがって合成される。
【００４４】
ある場合には、ＵＥ７０８がトラックしている（推定している）ものは、既知のキャリア周波数値からのｅＮＢのキャリア周波数の偏差または誤差でありうる。例えば、キャリア周波数が、セル獲得手順によってＵＥにおいて既知となる２ＧＨｚであると仮定する。さらに、ｅノードＢ７０４の発振器が、２ＧＨｚ＋１００Ｈｚで動作しており、ｅノードＢ７０４の発振器が、２ＧＨｚ＋２００Ｈｚで動作していると仮定する。この場合、中間キャリア周波数誤差は１５０Ｈｚであり、ｅノードＢ７０４のキャリア周波数誤差は１００Ｈｚであり、ｅノードＢ７０６のキャリア周波数誤差は２００Ｈｚである。ＵＥ７０８が、１５０Ｈｚである中間キャリア周波数誤差をトラックしていると仮定する。
【００４５】
このため、ｅノードＢ７０４の周波数オフセットは１００Ｈｚ−１５０Ｈｚであり、これは、−５０Ｈｚに等しい。そして、ｅノードＢ７０６の周波数オフセットは２００Ｈｚ−１５０Ｈｚであり、これは、５０Ｈｚに等しい。
【００４６】
セル毎のタイミング・オフセットは、おのおののセルのチャネルをより良好に推定するために使用されうる。なぜなら、セル毎のタイミングによって、ＵＥは、セルからチャネル・タップを正確に位置決めできるようになるからである。例えば、ＵＥ７０８は、セル毎のタイミングに基づいて、チャネル・タップ・トランケーション・ウィンドウを設定しうる。すなわち、ＵＥ７０８は、ｅノードＢ７０２のタイミングに基づいて、第１のチャネル・タップ・トランケーション・ウィンドウを、ｅノードＢ７０４のタイミングに基づいて、第２のチャネル・タップ・トランケーション・ウィンドウを、ｅノードＢ７０６のタイミングに基づいて、第３のチャネル・タップ・トランケーション・ウィンドウを、設定しうる。サービス提供セルの場合、チャネル推定が改善されると、ＵＥパフォーマンスもダイレクトに改善される。干渉元のセルの場合、チャネル推定が改善されると、セルの干渉除去が良好になされ、もって、ＵＥパフォーマンスが改善される。例えば、ｅノードＢ７０２が、ＵＥ７０８のためのサービス提供セルであり、ｅノードＢ７０４およびｅノードＢ７０６が、ＵＥ７０８にとって干渉元セルである場合、第１のチャネル・タップ・トランケーション・ウィンドウが、改善されたサービス提供セル・チャネル推定を提供するだろう。さらに、第２および第３のチャネル・タップ・トランケーション・ウィンドウによって信号が処理されることにより、ｅノードＢ７０４とｅノードＢ７０６との間のチャネル推定が改善されるだろう。この結果、良好な干渉除去が得られる。
【００４７】
おのおののセルのチャネルを良好に推定するために、セル毎の周波数オフセットもまた使用されうる。例えば、ＵＥ７０８は、セルからのＲＳにおける余剰周波数誤差を取り除くことを助けるために、セルからのＲＳおよびチャネル推定に回転（すなわち、フェーズ・シフト）を適用しうる。この回転量は、セルのためのセル毎の周波数オフセット推定値に基づいて決定されうる。サービス提供セルの場合、チャネル推定が改善されると、ＵＥパフォーマンスもダイレクトに改善される。干渉元のセルの場合、チャネル推定が改善されると、セルの干渉除去が良好になされ、もって、ＵＥパフォーマンスが改善される。
【００４８】
図８は、セル毎のタイミング・オフセットを推定するための動作８００の例を例示する。この動作８００は、ｅノードＢ７０２−７０６のためのセル毎のタイミング・オフセットを推定するために、例えば図７に示すＵＥ７０８のようなＵＥによって実行されうる。
【００４９】
動作８００は、トラックのためのタイミング（例えば、特定のセル、または、複数のセルの組み合わせのタイミング。上述したように、このタイミングは、最も強いセルから受信した信号（ＣＲＳ等）から導出されるか、または、適切な平均化または重み付けを用いて、複数のセルからの信号を結合することによって導出される）を推定することによって、８０２において始まる。８０４では、すべてのセルについて、（ＵＥがトラックしている前述したタイミングに対する）セル毎のタイミング・オフセットが決定される。８０６では、複数のセルから受信した信号が、タイミング・オフセットに基づいて設定された１または複数のチャネル・タップ・トランケーション・ウィンドウを用いて処理される。
【００５０】
上述したように、セルのタイミング・オフセットは、一般に、セルのタイミングと、ＵＥがトラックしているタイミングとの間の差を称する。ある態様によれば、チャネル・タップ・トランケーション・ウィンドウが、セルのタイミング・オフセットに基づいて、それぞれのセルについて設定されうる。ある態様によれば、セルのチャネル・タップ・トランケーション・ウィンドウによって、おのおののセルから、チャネルが推定されうる。これら推定されたチャネルは、各セルから受信した信号を処理する際に利用されうる。
【００５１】
図９は、セル毎の周波数オフセットを推定するための動作９００の例を例示する。動作９００はまた、ｅノードＢ７０２−７０６のためのセル毎の周波数オフセットを推定するために、例えば図７に示すＵＥ７０８のようなＵＥによって実行されうる。
【００５２】
動作９００は、９０２において、特定のセル、または、複数のセルの組み合わせの周波数を推定することによって始まる。前述したように、この周波数は、最も強いセルから受信した信号（ＣＲＳ等）から導出されるか、または、適切な平均化または重み付けを用いて、複数のセルからの信号を結合することによって導出される。９０４では、すべてのセルについて、（ＵＥがトラックしている前述したキャリア周波数に対する）セル毎の周波数オフセットが決定される。９０６では、複数のセルから受信した信号が、セル毎の周波数オフセットを用いて処理される。
【００５３】
１つの構成では、トラックされる特定のキャリア周波数が、セル毎の周波数誤差推定値の平均／中間に基づいて導出されうる。前述するように、セルの周波数オフセットは一般に、セルのためのキャリア周波数（または周波数誤差）と、トラックされている特定のセルとの間の差を称する。
【００５４】
ある態様によれば、９０６の処理は、セル特有の基準信号における余剰周波数誤差を取り除くために、セルのおのおのからのセル特有の基準信号にフェーズ・シフトを適用することを含みうる。セルからのセル特有の基準信号におけるフェーズ・シフトは、このセルについて決定された周波数オフセットに応じて決定されうる。
【００５５】
ある態様によれば、例えば、平均化に参加しているセルの受信信号強度にしたがって、周波数および／またはタイミングのオフセット平均値が重み付けられうる。
【００５６】
図１０は、典型的な装置１０００の機能を例示する概念ブロック図である。この装置１０００は、特定のセルまたは複数のセルの組み合わせのタイミングを推定するモジュール１００２と、複数のセルのうちのすべてのセルについて、ＵＥがトラックしているタイミングに対するセル毎のタイミング・オフセットを決定するモジュール１００４と、セル毎のタイミング・オフセットに基づいて１または複数のチャネル・タップ・トランケーション・ウィンドウを設定することによって、複数のセルから受信した信号を処理するモジュール１００６とを含みうる。
【００５７】
モジュール１００２−１００６に加えて、あるいは、代替案として、装置１０００はまた、複数のセルのすべてについて、ＵＥがトラックしているキャリア周波数に対するセル毎の周波数オフセットを決定するモジュール１００８と、セル毎の周波数オフセットに基づいて、複数のセルから受信した信号を処理するモジュール１０１０と、を含みうる。
【００５８】
特定の構成によって、装置は、セル毎のタイミング・オフセット、セル毎の周波数オフセット、またはこれら両方を利用しうる。したがって、１つの構成では、装置１０００は、モジュール１００２−１００６を含みうる。別の構成では、装置１０００は、モジュール１００８−１０１２を含む。また別の構成では、装置１０００は、モジュール１００２−１０１２を含みうる。
【００５９】
１つの構成では、無線通信のための装置１０００は、図１０に示す機能を実行するための手段を含みうる。これら手段は、任意の適切な構成要素、または、これら構成要素の組み合わせを備えうる。ある態様によれば、これら手段は、本明細書に記載された機能を実行するように構成された、図１の処理システム１１４とともに実現される。
【００６０】
協調マルチ・ポイント（ＣｏＭＰ：cooperative multi-point）システムでは、ＵＥに向けられた信号が、（「ＣｏＭＰ送信ポイント」と呼ばれる）複数のセルから送信され、無線で結合される。ある場合には、ＣｏＭＰ送信ポイントは、ＵＥに透過的でありうる。これは、どのセルがＣｏＭＰ送信ポイントに相当するのかをＵＥが知らないことを意味する。ＣｏＭＰ送信ポイントの透過性は、特化されたＵＥ特有のＲＳ（ＵＥ−ＲＳ）を用いることによって可能となりうる。
【００６１】
図１１は、ＣｏＭＰシステムにおいてタイミング・オフセットを利用するための動作１１００の例を例示する。この動作は、１１０２において、ＣｏＭＰセルを含む複数のセルのうちの残りのセルについて、特定のセルのタイミングに対するセル毎のタイミング・オフセットを決定することによって始まる。例えば、これらセル毎のタイミング・オフセットは、図８を参照して上述したようにして決定されうる。
【００６２】
ＣｏＭＰチャネルを正確に推定するために、ＵＥは、ＣｏＭＰ送信ポイントにおいて、セルのタイミングを認識しうる。１１０４で決定されたように、ＣｏＭＰ送信ポイントがＵＥに既知になれば、ＵＥは、１１０６において、これら既知のＣｏＭＰセルのタイミング・オフセットを用いて、平均タイミング・オフセットを計算しうる。ＣｏＭＰ送信ポイントがＵＥに既知ではない場合、ＵＥは、１１０８において、平均タイミング・オフセットを計算する場合に、既知の非ＣｏＭＰセルのタイミング・オフセットを除外しうる。既知の非ＣｏＭＰセルは、ＵＥのＣｏＭＰに参加することを許可されないあるセルを含みうる。除外可能なセルの例は、ＵＥがアクセスを禁止されたセル（例えば、ＣＳＧセル）を含みうる。
【００６３】
ＵＥは、（既知のＣｏＭＰ送信ポイントのために計算された、および／または、既知の非ＣｏＭＰ送信ポイントを除外することによって）決定された平均タイミング・オフセットに基づいてチャネル・タップ・トランケーション・ウィンドウを設定しうる。
【００６４】
例として、図７を参照して、ｅノードＢ７０２とｅノードＢ７０４とがＣｏＭＰ送信ポイントであり、ｅノードＢ７０６がＣｏＭＰ送信ポイントではないと仮定する。さらに、ＵＥ７０８は、ｅノードＢ７０２とｅノードＢ７０４とがＣｏＭＰ送信ポイントであり、ｅノードＢ７０６がＣｏＭＰ送信ポイントではないことを認識している。ＵＥ７０８は、セル７０２、７０４、７０６のおのおののタイミング・オフセットを推定しうる。さらに、ＵＥ７０８は、セルのサブセットの信号を結合することによって、ＣｏＭＰ送信ポイント７０２、７０４のタイミング・オフセットを決定しうる。ＵＥ７０８は、これらのセルがＣｏＭＰ送信ポイントであることを認識しているので、これらのセルのセブセットは、セル７０２、７０４を含む。どのセルがＣｏＭＰ送信ポイントであるかをＵＥ７０８が認識していない場合、セルのサブセットは、ＣｏＭＰ送信ポイントであるべきであるとして知られていないセルを除くすべてのセルを含みうる。ＵＥ７０８は、決定されたタイミング・オフセットに基づいて、ＣｏＭＰチャネル推定のためのチャネル・タップ・トランケーション・ウィンドウを設定しうる。ＣｏＭＰチャネル推定は、ＣｏＭＰ送信ポイント７０２、７０４からのＵＥ特有の基準信号に基づく。
【００６５】
ＣｏＭＰチャネルを正確に推定するために、ＵＥはさらに（あるいは、その代わりに）ＣｏＭＰ送信ポイントにおいてセルの周波数オフセットを認識しうる。
【００６６】
図１２は、ＣｏＭＰシステムにおいて周波数オフセットを利用するための動作１２００の例を例示する。この動作は、１２０２において、ＣｏＭＰセルを含む複数のセルのうちの残りのセルについて、特定のセルの周波数に対するセル毎の周波数オフセットを決定することによって始まる。例えば、これらセル毎の周波数オフセットは、図９を参照して上述したように決定されうる。
【００６７】
ＣｏＭＰチャネルを正確に推定するために、ＵＥは、ＣｏＭＰ送信ポイントにおいてセルの周波数を認識しうる。１２０４で決定されたように、ＣｏＭＰ送信ポイントがＵＥに知られているのであれば、ＵＥは、１２０６において、これら既知のＣｏＭＰセルの周波数オフセットを用いて平均周波数オフセットを計算しうる。ＣｏＭＰ送信ポイントがＵＥに知られていない場合、１２０８において、ＵＥは、平均周波数オフセットを計算する場合に、既知の非ＣｏＭＰセルの周波数オフセットを除外しうる。
【００６８】
ＵＥは、ＣｏＭＰ送信ポイント間での周波数誤差のインパクトを最小化するために、平均周波数オフセットを使用しうる。例えば、ＵＥは、受信したＵＥ−ＲＳ信号に回転を適用することにより、周波数誤差のインパクトを最小化することを試みうる。すなわち、ＵＥは、ＵＥ特有の基準信号における余剰周波数誤差を最小化するために、ＣｏＭＰ送信ポイントからのＵＥ特有の基準信号に、フェーズ・シフトを適用しうる。ＵＥ特有の基準信号に適用されたフェーズ・シフトは、決定された平均キャリア周波数オフセットに応じうる。
【００６９】
上述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。
【００７０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７１】
本開示に関連して記載される方法またはアルゴリズムのステップは、ハードウェアで直接的に、プロセッサによって実行されるソフトウェア・モジュールで、あるいは、これらの組み合わせで具体化されうる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００７２】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００７３】
説明された機能を、ハードウェア、ソフトウェア、ファームウェア、またはその任意の組合せで実施することができる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。
【００７４】
例えば、このようなデバイスを、本明細書で説明した方法を実行するための手段の継承を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００７５】
特許請求の範囲は、上述した正確な構成および構成要素に限定されないことを理解されたい。さまざまな修正、変更、および変形を、特許請求の範囲のスコープから逸脱せずに、前述した方法および装置の構成、動作、および詳細において実施することができる。
【００７６】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2014078951.tif 000003
【図２】
2014078951.tif 000004
【図３】
2014078951.tif 000005
【図４】
2014078951.tif 000006
【図５】
2014078951.tif 000007
【図６】
2014078951.tif 000008
【図７】
2014078951.tif 000009
【図８】
2014078951.tif 000010
【図９】
2014078951.tif 000011
【図１０】
2014078951.tif 000012
【図１１】
2014078951.tif 000013
【図１２】
2014078951.tif 000014
【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）による無線通信の方法であって、
キャリア周波数を推定することと、ここで、前記推定されるキャリア周波数は、１または複数のセルの周波数から導出される、
複数のセルについて、前記推定されたキャリア周波数に対する周波数オフセットを決定することと、
前記周波数オフセットのうちの１または複数に基づいて、前記複数のセルから受信した信号を処理することと、
を備える方法。
【請求項２】
前記キャリア周波数を推定することは、セル特有の基準信号、一次同期信号、二次同期信号、またはサイクリック・プレフィクスのうちの少なくとも１つを備える、受信した信号を用いて実行される、請求項１に記載の方法。
【請求項３】
前記受信した信号は、特定のセルから受信した信号を備える、請求項２に記載の方法。
【請求項４】
前記特定のセルは、１または複数の基準信号について、最も強い受信信号強度を持つセルを備える、請求項３に記載の方法。
【請求項５】
前記受信した信号は、複数のセルからの信号の組み合わせを備える、請求項４に記載の方法。
【請求項６】
前記複数のセルのすべてまたはサブセットは、前記ＵＥへの協調マルチ・ポイント（ＣｏＭＰ：cooperative multi-point）送信に参加することができる、請求項１に記載の方法。
【請求項７】
前記処理することは、
前記決定された周波数オフセットのうちの１または複数から、平均周波数オフセットを決定することと、
前記平均周波数オフセットに基づいて、ＣｏＭＰ送信ポイントから受信した信号を処理することと、
を備える請求項６に記載の方法。
【請求項８】
前記平均周波数オフセットを決定することは、ＣｏＭＰ送信に参加できるとして知られているセルの周波数オフセットを利用することを備える、請求項７に記載の方法。
【請求項９】
前記平均周波数オフセットを決定することは、ＣｏＭＰ送信に参加できないとして知られている１または複数のセルの周波数オフセットを利用することを備える、請求項７に記載の方法。
【請求項１０】
前記平均周波数オフセットを決定することは、受信信号強度にしたがって重み付けられた平均を計算することを備える、請求項７に記載の方法。
【請求項１１】
前記複数のセルのうちの少なくとも１つからのセル特有の基準信号にフェーズ・シフトを適用することをさらに備え、
前記フェーズ・シフトは、前記複数のセルのうちの少なくとも１つについて決定された周波数オフセットに応じる、請求項４に記載の方法。
【請求項１２】
ユーザ機器（ＵＥ）による無線通信の装置であって、
キャリア周波数を推定する手段と、ここで、前記推定されるキャリア周波数は、１または複数のセルの周波数から導出される、
複数のセルについて、前記推定されたキャリア周波数に対する周波数オフセットを決定する手段と、
前記周波数オフセットのうちの１または複数に基づいて、前記複数のセルから受信した信号を処理する手段と、
を備える装置。
【請求項１３】
前記キャリア周波数を推定する手段は、セル特有の基準信号、一次同期信号、二次同期信号、またはサイクリック・プレフィクスのうちの少なくとも１つを備える、受信した信号を利用する、請求項１２に記載の装置。
【請求項１４】
前記受信した信号は、特定のセルから受信した信号を備える、請求項１３に記載の装置。
【請求項１５】
前記特定のセルは、１または複数の基準信号について、最も強い受信信号強度を持つセルを備える、請求項１４に記載の装置。
【請求項１６】
前記受信した信号は、複数のセルからの信号の組み合わせを備える、請求項１５に記載の装置。
【請求項１７】
前記複数のセルのすべてまたはサブセットは、前記ＵＥへの協調マルチ・ポイント（ＣｏＭＰ：cooperative multi-point）送信に参加することができる、請求項１２に記載の装置。
【請求項１８】
前記処理する手段は、
前記決定された周波数オフセットのうちの１または複数から、平均周波数オフセットを決定する手段と、
前記平均周波数オフセットに基づいて、ＣｏＭＰ送信ポイントから受信した信号を処理する手段と、
を備える請求項１７に記載の装置。
【請求項１９】
前記平均周波数オフセットを決定する手段は、ＣｏＭＰ送信に参加できるとして知られているセルの周波数オフセットを利用する手段を備える、請求項１８に記載の装置。
【請求項２０】
前記平均周波数オフセットを決定する手段は、ＣｏＭＰ送信に参加できないとして知られている１または複数のセルの周波数オフセットを利用する手段を備える、請求項１８に記載の装置。
【請求項２１】
前記平均周波数オフセットを決定する手段は、受信信号強度にしたがって重み付けられた平均を計算する手段を備える、請求項１８に記載の装置。
【請求項２２】
前記複数のセルのうちの少なくとも１つからのセル特有の基準信号にフェーズ・シフトを適用する手段をさらに備え、
前記フェーズ・シフトは、前記複数のセルのうちの少なくとも１つについて決定された周波数オフセットに応じる、請求項１５に記載の装置。
【請求項２３】
無線通信のための装置であって、
キャリア周波数を推定し、ここで、前記推定されるキャリア周波数は、１または複数のセルの周波数から導出される、
複数のセルについて、前記推定されたキャリア周波数に対する周波数オフセットを決定し、
前記周波数オフセットのうちの１または複数に基づいて、前記複数のセルから受信した信号を処理する、
ように構成された少なくとも１つのプロセッサと、
前記少なくとも１つのプロセッサに接続されたメモリと、
を備える装置。
【請求項２４】
キャリア周波数を推定し、ここで、前記推定されるキャリア周波数は、１または複数のセルの周波数から導出される、
複数のセルについて、前記推定されたキャリア周波数に対する周波数オフセットを決定し、
前記周波数オフセットのうちの１または複数に基づいて、前記複数のセルから受信した信号を処理する、
ために、プロセッサによって実行されることが可能な格納された命令群のセットを有するコンピュータ読取可能な媒体を備える、コンピュータ・プログラム製品。
【手続補正２】
【補正対象書類名】明細書
【補正対象項目名】００７６
【補正方法】変更
【補正の内容】
【００７６】
前述したものは、本開示の態様に向けられているが、これら開示のその他およびさらなる態様が、本願の基本的な範囲から逸脱することなく考案され、この範囲は、以下に示す特許請求の範囲によって決定される。
以下に、出願当初の特許請求の範囲に記載された発明を付記する。
［Ｃ１］
ユーザ機器（ＵＥ）による無線通信の方法であって、
システム・タイミングを推定することと、ここで、前記推定されるシステム・タイミングは、１または複数のセルのタイミングから導出される、
複数のセルについて、前記推定されたシステム・タイミングに対するタイミング・オフセットを決定することと、
前記タイミング・オフセットに基づいて設定されたチャネル・タップ・トランケーション・ウィンドウを用いて、前記複数のセルから受信した信号を処理することと、を備える方法。
［Ｃ２］
前記システム・タイミングを推定することは、セル特有の基準信号、一次同期信号、二次同期信号、またはサイクリック・プレフィクスのうちの少なくとも１つを備える、受信した信号を用いて実行される、Ｃ１に記載の方法。
［Ｃ３］
前記受信した信号は、特定のセルから受信した信号を備える、Ｃ２に記載の方法。
［Ｃ４］
前記特定のセルは、１または複数の基準信号について、最も強い受信信号強度を持つセルを備える、Ｃ３に記載の方法。
［Ｃ５］
前記受信した信号は、複数のセルからの信号の組み合わせを備える、Ｃ２に記載の方法。
［Ｃ６］
前記複数のセルのすべてまたはサブセットは、前記ＵＥへの協調マルチ・ポイント（ＣｏＭＰ：cooperative multi-point）送信に参加することができる、Ｃ１に記載の方法。
［Ｃ７］
前記処理することは、
前記決定されたタイミング・オフセットのうちの１または複数から、平均タイミング・オフセットを決定することと、
前記平均タイミング・オフセットに基づいて、チャネル・タップ・トランケーション・ウィンドウを設定することと、を備えるＣ６に記載の方法。
［Ｃ８］
前記平均タイミング・オフセットを決定することは、ＣｏＭＰ送信に参加できるとして知られているセルのタイミング・オフセットを利用することを備える、Ｃ７に記載の方法。
［Ｃ９］
前記平均タイミング・オフセットを決定することは、ＣｏＭＰ送信に参加できないとして知られている１または複数のセルのタイミング・オフセットを除外することを備える、Ｃ７に記載の方法。
［Ｃ１０］
前記平均タイミング・オフセットを決定することは、受信信号強度にしたがって重み付けられた平均を計算することを備える、Ｃ７に記載の方法。
［Ｃ１１］
ユーザ機器（ＵＥ）による無線通信の方法であって、
キャリア周波数を推定することと、ここで、前記推定されるキャリア周波数は、１または複数のセルの周波数から導出される、
複数のセルについて、前記推定されたキャリア周波数に対する周波数オフセットを決定することと、
前記周波数オフセットのうちの１または複数に基づいて、前記複数のセルから受信した信号を処理することと、を備える方法。
［Ｃ１２］
前記キャリア周波数を推定することは、セル特有の基準信号、一次同期信号、二次同期信号、またはサイクリック・プレフィクスのうちの少なくとも１つを備える、受信した信号を用いて実行される、Ｃ１１に記載の方法。
［Ｃ１３］
前記受信した信号は、特定のセルから受信した信号を備える、Ｃ１２に記載の方法。
［Ｃ１４］
前記特定のセルは、１または複数の基準信号について、最も強い受信信号強度を持つセルを備える、Ｃ１３に記載の方法。
［Ｃ１５］
前記受信した信号は、複数のセルからの信号の組み合わせを備える、Ｃ１４に記載の方法。
［Ｃ１６］
前記複数のセルのすべてまたはサブセットは、前記ＵＥへの協調マルチ・ポイント（ＣｏＭＰ：cooperative multi-point）送信に参加することができる、Ｃ１１に記載の方法。
［Ｃ１７］
前記処理することは、
前記決定された周波数オフセットのうちの１または複数から、平均周波数オフセットを決定することと、
前記平均周波数オフセットに基づいて、ＣｏＭＰ送信ポイントから受信した信号を処理することと、を備えるＣ１６に記載の方法。
［Ｃ１８］
前記平均周波数オフセットを決定することは、ＣｏＭＰ送信に参加できるとして知られているセルの周波数オフセットを利用することを備える、Ｃ１７に記載の方法。
［Ｃ１９］
前記平均周波数オフセットを決定することは、ＣｏＭＰ送信に参加できないとして知られている１または複数のセルの周波数オフセットを利用することを備える、Ｃ１７に記載の方法。
［Ｃ２０］
前記平均周波数オフセットを決定することは、受信信号強度にしたがって重み付けられた平均を計算することを備える、Ｃ１７に記載の方法。
［Ｃ２１］
前記複数のセルのうちの少なくとも１つからのセル特有の基準信号にフェーズ・シフトを適用することをさらに備え、
前記フェーズ・シフトは、前記複数のセルのうちの少なくとも１つについて決定された周波数オフセットに応じる、Ｃ１４に記載の方法。
［Ｃ２２］
無線通信のための装置であって、
システム・タイミングを推定する手段と、ここで、前記推定されるシステム・タイミングは、１または複数のセルのタイミングから導出される、
複数のセルについて、前記推定されたシステム・タイミングに対するタイミング・オフセットを決定する手段と、
前記タイミング・オフセットに基づいて設定されたチャネル・タップ・トランケーション・ウィンドウを用いて、前記複数のセルから受信した信号を処理する手段と、を備える装置。
［Ｃ２３］
前記システム・タイミングを推定する手段は、セル特有の基準信号、一次同期信号、二次同期信号、またはサイクリック・プレフィクスのうちの少なくとも１つを備える、受信した信号を利用する、Ｃ２２に記載の装置。
［Ｃ２４］
前記受信した信号は、特定のセルから受信した信号を備える、Ｃ２３に記載の装置。
［Ｃ２５］
前記特定のセルは、１または複数の基準信号について、最も強い受信信号強度を持つセルを備える、Ｃ２４に記載の装置。
［Ｃ２６］
前記受信した信号は、複数のセルからの信号の組み合わせを備える、Ｃ２３に記載の装置。
［Ｃ２７］
前記複数のセルのすべてまたはサブセットは、前記ＵＥへの協調マルチ・ポイント（ＣｏＭＰ：cooperative multi-point）送信に参加することができる、Ｃ２４に記載の装置。
［Ｃ２８］
前記処理する手段は、
前記決定されたタイミング・オフセットのうちの１または複数から、平均タイミング・オフセットを決定する手段と、
前記平均タイミング・オフセットに基づいて、チャネル・タップ・トランケーション・ウィンドウを設定する手段と、を備えるＣ２７に記載の装置。
［Ｃ２９］
前記平均タイミング・オフセットを決定する手段は、ＣｏＭＰ送信に参加できるとして知られているセルのタイミング・オフセットを利用する手段を備える、Ｃ２８に記載の装置。
［Ｃ３０］
前記平均タイミング・オフセットを決定する手段は、ＣｏＭＰ送信に参加できないとして知られている１または複数のセルのタイミング・オフセットを除外する手段を備える、Ｃ２８に記載の装置。
［Ｃ３１］
前記平均タイミング・オフセットを決定する手段は、受信信号強度にしたがって重み付けられた平均を計算する手段を備える、Ｃ２８に記載の装置。
［Ｃ３２］
ユーザ機器（ＵＥ）による無線通信の装置であって、
キャリア周波数を推定する手段と、ここで、前記推定されるキャリア周波数は、１または複数のセルの周波数から導出される、
複数のセルについて、前記推定されたキャリア周波数に対する周波数オフセットを決定する手段と、
前記周波数オフセットのうちの１または複数に基づいて、前記複数のセルから受信した信号を処理する手段と、を備える装置。
［Ｃ３３］
前記キャリア周波数を推定する手段は、セル特有の基準信号、一次同期信号、二次同期信号、またはサイクリック・プレフィクスのうちの少なくとも１つを備える、受信した信号を利用する、Ｃ３２に記載の装置。
［Ｃ３４］
前記受信した信号は、特定のセルから受信した信号を備える、Ｃ３３に記載の装置。
［Ｃ３５］
前記特定のセルは、１または複数の基準信号について、最も強い受信信号強度を持つセルを備える、Ｃ３４に記載の装置。
［Ｃ３６］
前記受信した信号は、複数のセルからの信号の組み合わせを備える、Ｃ３５に記載の装置。
［Ｃ３７］
前記複数のセルのすべてまたはサブセットは、前記ＵＥへの協調マルチ・ポイント（ＣｏＭＰ：cooperative multi-point）送信に参加することができる、Ｃ３２に記載の装置。
［Ｃ３８］
前記処理する手段は、
前記決定された周波数オフセットのうちの１または複数から、平均周波数オフセットを決定する手段と、
前記平均周波数オフセットに基づいて、ＣｏＭＰ送信ポイントから受信した信号を処理する手段と、を備えるＣ３７に記載の装置。
［Ｃ３９］
前記平均周波数オフセットを決定する手段は、ＣｏＭＰ送信に参加できるとして知られているセルの周波数オフセットを利用する手段を備える、Ｃ３８に記載の装置。
［Ｃ４０］
前記平均周波数オフセットを決定する手段は、ＣｏＭＰ送信に参加できないとして知られている１または複数のセルの周波数オフセットを利用する手段を備える、Ｃ３８に記載の装置。
［Ｃ４１］
前記平均周波数オフセットを決定する手段は、受信信号強度にしたがって重み付けられた平均を計算する手段を備える、Ｃ３８に記載の装置。
［Ｃ４２］
前記複数のセルのうちの少なくとも１つからのセル特有の基準信号にフェーズ・シフトを適用する手段をさらに備え、
前記フェーズ・シフトは、前記複数のセルのうちの少なくとも１つについて決定された周波数オフセットに応じる、Ｃ３５に記載の装置。
［Ｃ４３］
無線通信のための装置であって、
システム・タイミングを推定し、ここで、前記推定されるシステム・タイミングは、１または複数のセルのタイミングから導出される、
複数のセルについて、前記推定されたシステム・タイミングに対するタイミング・オフセットを決定し、
前記タイミング・オフセットに基づいて設定されたチャネル・タップ・トランケーション・ウィンドウを用いて、前記複数のセルから受信した信号を処理する、ように構成された少なくとも１つのプロセッサと、
前記少なくとも１つのプロセッサに接続されたメモリと、を備える装置。
［Ｃ４４］
無線通信のための装置であって、
キャリア周波数を推定し、ここで、前記推定されるキャリア周波数は、１または複数のセルの周波数から導出される、
複数のセルについて、前記推定されたキャリア周波数に対する周波数オフセットを決定し、
前記周波数オフセットのうちの１または複数に基づいて、前記複数のセルから受信した信号を処理する、ように構成された少なくとも１つのプロセッサと、
前記少なくとも１つのプロセッサに接続されたメモリと、を備える装置。
［Ｃ４５］
システム・タイミングを推定し、ここで、前記推定されるシステム・タイミングは、１または複数のセルのタイミングから導出される、
複数のセルについて、前記推定されたシステム・タイミングに対するタイミング・オフセットを決定し、
前記タイミング・オフセットに基づいて設定されたチャネル・タップ・トランケーション・ウィンドウを用いて、前記複数のセルから受信した信号を処理する、ために、プロセッサによって実行されることが可能な格納された命令群のセットを有するコンピュータ読取可能な媒体を備える、コンピュータ・プログラム製品。
［Ｃ４６］
キャリア周波数を推定し、ここで、前記推定されるキャリア周波数は、１または複数のセルの周波数から導出される、
複数のセルについて、前記推定されたキャリア周波数に対する周波数オフセットを決定し、
前記周波数オフセットのうちの１または複数に基づいて、前記複数のセルから受信した信号を処理する、ために、プロセッサによって実行されることが可能な格納された命令群のセットを有するコンピュータ読取可能な媒体を備える、コンピュータ・プログラム製品。
【外国語明細書】
2014078951000001.pdf